(57)【特許請求の範囲】
【請求項１】
ＳＥＣＡＭ放送方式であるかそれ以外の放送方式であるかを判別するＳＥＣＡＭ判別回路であり、
記録媒体からの低域変換クロマ信号を周波数逓倍する周波数逓倍回路と、
該周波数逓倍回路からのクロマ信号を位相検波する位相検波部と該位相検波部の出力信号に応じてコンデンサの充放電を行う出力部とを備える位相検波器と、
該位相検波器のコンデンサの電圧が所定値から低下しないようにするリミッタとを備え、前記位相検波器から到来するアイデント信号を１水平周期前後にてレベル比較してＳＥＣＡＭ判別を行うことを特徴とするＳＥＣＡＭ判別回路。
【請求項２】
ＳＥＣＡＭ放送方式であるかそれ以外の放送方式であるかを判別するＳＥＣＡＭ判別回路であり、
記録媒体からの低域変換クロマ信号を周波数逓倍する周波数逓倍回路と、
該周波数逓倍回路からのクロマ信号を位相検波する位相検波部と該位相検波部の出力信号に応じてコンデンサの充放電を行う出力部とを備える位相検波器と、
該位相検波器のコンデンサの初期値電圧を設定する電圧設定回路と、
該電圧設定回路の基準電圧に基づき前記位相検波器のコンデンサの電圧が所定値から低下しないようにするリミッタとを備え、前記コンデンサの電圧の変化が所定周期で起きるか否かにより放送方式の判別を行うことを特徴とするＳＥＣＡＭ判別回路。
【発明の詳細な説明】
【０００１】
【発明の属する技術分野】
本発明は、ＴＶ放送方式の自動判別を行うＳＥＣＡＭ判別回路に関するもので、特に家庭用ＶＴＲに内蔵されるＳＥＣＡＭ判別回路に関する。
【０００２】
【従来の技術】
ヨーロッパではＰＡＬ方式、ＳＥＣＡＭ方式などの複数のＴＶ放送方式が存在し、それに対応したＶＴＲテープが存在している。そこで、ヨーロッパの家庭用ＶＴＲでは、その各方式に対応した再生装置が要求される。また、再生されている信号が、いずれの放送方式であるかを自動判別し、その判別結果に従いＰＡＬの再生回路を動作させるのか、ＳＥＣＡＭの再生回路を動作させるのかを定める。
【０００３】
ところで、ＳＥＣＡＭ信号をＰＡＬ方式に類似した方式で記録したテープを簡易的に再生するＭＥＳＥＣＡＭと呼ばれるＶＴＲの記録・再生方式が知られている。これは、ＳＥＣＡＭの信号処理回路は、素子数等が多く必要となるので、本来ＳＥＣＡＭの信号をＰＡＬに類似した再生回路で簡易的に再生するものである。そのため、放送信号としては存在しない。
【０００４】
このようにＭＥＳＥＣＡＭ、ＳＥＣＡＭ及びＰＡＬの３つの再生信号を判別する必要がある。この３つの信号の識別には、再生クロマ信号中のアイデント信号（バースト信号に相当）の周波数の違いを用いる。表１は、前記周波数を示す。
表１
ＳＥＣＡＭ・・・・４.４０６２５ＭＨＺと４.２５ＭＨＺ
ＭＥＳＥＣＡＭ・・２.６ＭＨＺと３.２ＭＨＺ
ＰＡＬ・・・・・・２.５ＭＨＺ
そこで、従来は図２の如き方法で判別を行っていた。図２の端子（１）には磁気テープからの再生映像信号が印加され、低域クロマ抽出回路（２）で低い周波数に低域変換されたクロマ（色）信号が抽出される。抽出された低域クロマ信号は、ＰＡＬ信号処理回路（３）、ＭＥＳＥＣＡＭ信号処理回路（４）及びＳＥＣＡＭ信号処理回路（５）に印加される。
【０００５】
尚、ＰＡＬ信号処理回路（３）とＭＥＳＥＣＡＭ信号処理回路（４）とは回路の兼用が行われている。又、４逓倍回路（６）は、入力信号の周波数を４倍するものであり、ＳＥＣＡＭ信号処理の一部である。
４逓倍回路（６）で周波数が４倍にされたクロマ信号は、ＳＥＣＡＭ信号処理回路（５）で必要な処理が施された後、出力端子（７）に導出される。該出力端子（７）の信号の一部がＳＥＣＡＭ判別回路（８）に印加される。ＳＥＣＡＭ判別回路（８）は、１水平周期で到来するアイデント信号の周波数の違いを見ることにより判別を行っている。そして、ＳＥＣＡＭ判別回路（８）は、現在到来している信号が、ＳＥＣＡＭ信号であるか否かの判別のみを行い、その旨を示す制御信号をＰＡＬ信号処理回路（３）、ＭＥＳＥＣＡＭ信号処理回路（４）及びＳＥＣＡＭ信号処理回路（５）に印加する。
【０００６】
従って、図２の回路によれば、ＳＥＣＡＭ信号の到来の有無を判別でき、図示されていない、他の方式の判別回路とともに用いて３方式の判別が可能となる。
【０００７】
【発明が解決しようとする課題】
しかしながら、図２の回路では、正確にＳＥＣＡＭ信号判別を行うのが難しい、という問題があった。
図３は、図２のＳＥＣＡＭ判別回路（８）に内蔵される位相検波器の入力信号周波数と出力信号レベルとの特性図を示す。前記位相検波器は、４.４０６２５ＭＨＺと４.２５ＭＨＺのアイデント信号を持つＳＥＣＡＭ信号が到来するときに併せて作られる。その為、ＳＥＣＡＭ信号の周波数が到来するときに図３に示すように電圧差Ｖ１が得られる。これに対して、入力信号周波数の低いＭＥＳＥＣＡＭの信号では、電圧差Ｖ２が得られる。
【０００８】
ここで、通常ならば、電圧差Ｖ１と電圧差Ｖ２との差が存在するので、両者を区別することができる。ところが、図３の実線で示す特性カーブが変動したりすると、電圧差Ｖ２は容易に大きくなってしまう。すると、電圧差Ｖ１との識別ができなくなり、誤判別を起こしてしまうという問題があった。
【０００９】
【課題を解決するための手段】
本発明はかかる問題点に鑑みてなされ、ＳＥＣＡＭ放送方式であるかそれ以外の放送方式であるかを判別するＳＥＣＡＭ判別回路であり、記録媒体からの低域変換クロマ信号を周波数逓倍する周波数逓倍回路と、該周波数逓倍回路からのクロマ信号を位相検波する位相検波部と該位相検波部の出力信号に応じてコンデンサの充放電を行う出力部とを備える位相検波器と、該位相検波器のコンデンサの電圧が所定値から低下しないようにするリミッタとを備え、前記位相検波器から到来するアイデント信号を１水平周期前後にてレベル比較してＳＥＣＡＭ判別を行うことを特徴とする。
【００１０】
【発明の実施の形態】
図１は、本発明のＳＥＣＡＭ判別回路の実施の形態を示すもので、（９）は表１に示すＭＥＳＥＣＡＭ、ＳＥＣＡＭ及びＰＡＬの３つの再生信号が印加される入力端子、（１０）は９０度位相シフト回路、（１１）はＳＥＣＡＭ信号の２つのアイデント信号の周波数の中心の周波数４.３ＭＨＺを抽出するＢＰＦ、（１２）はアイデント信号を位相検波する位相検波部（１３）と該位相検波部（１３）の出力信号に応じてコンデンサ（１４）の充放電を行う出力部（１５）とを備える位相検波器、（１６）は位相検波器（１２）のコンデンサ（１４）の初期値電圧を設定する電圧設定回路、（１７）は電圧設定回路（１６）の基準電源（１８）の基準電圧に基づき前記位相検波器（１２）のコンデンサ（１４）の電圧が所定値から低下しないようにするリミッタとして動作するトランジスタ、（１９）（２０）はコンデンサ（１４）の出力電圧をサンプルホールドするサンプルホールド回路、及び（２１）はサンプルホールド回路（１９）（２０）の２つの出力信号の差電圧の絶対値を取る絶対値検出回路である。
【００１１】
入力端子（９）からのアイデント信号は、９０度位相シフト回路（１０）及びＢＰＦ（１１）を介して位相検波部（１３）に印加されるとともに、入力端子（９）から直接に位相検波部（１３）に印加される。位相検波部（１３）は、位相比較を行い、その位相差に応じて出力部（１５）を構成する可変電流源（２２）（２３）の電流値を変化させる。すると、その変化に応じてコンデンサ（１４）の出力電圧が変化して検波が行われる。コンデンサ（１４）は、電圧設定回路（１６）により電圧ＶＲに充電される。このため、コンデンサ（１４）は、電圧ＶＲを中心に上下に変化する。
【００１２】
ここで、本発明ではコンデンサ（１４）の電圧が所定値から低下しないようにするリミッタとして動作するトランジスタ（１７）が設けられている。そして、前記所定値を図３の電圧ＶＬと設定すると、図３の実線のカーブは、電圧ＶＬ以下では一点鎖線の変化を示す。すると、図３に示すＭＥＳＥＣＡＭ信号やＰＡＬ信号が到来した場合には全て電圧ＶＬが出力される。この為、ＭＥＳＥＣＡＭ信号の１水平期間前後ではレベル差がないと判別される。
【００１３】
それに対して、ＳＥＣＡＭ信号の到来時には、１水平期間前後でレベル差が明確に表れる。
その結果、到来している信号がＳＥＣＡＭ信号であるか、それ以外のものであるかの判別を正確に行える。
一方、コンデンサ（１４）の出力信号は、サンプルホールド回路（１９）（２０）に印加される。サンプルホールド回路（１９）（２０）には、端子（２４）（２５）からサンプルホールド用の信号ｆＨ１及びｆＨ２が図１のタイミングで印加される。そのため、サンプルホールド回路（１９）（２０）の出力端にはアイデント信号が１Ｈおきにサンプルホールドされたものが得られる。そして、サンプルホールド回路（１９）（２０）の出力信号は、絶対値検出回路（２１）で両者の絶対値の差が検出される。
【００１４】
従って、到来している信号がＳＥＣＡＭ信号であれば、ある電圧が発生し、ＳＥＣＡＭ信号以外であれば、ゼロが発生する。
【００１５】
【発明の効果】
以上述べた如く、本発明によれば、クロマ信号を位相検波する位相検波部のコンデンサの電圧が所定値から変化しないようにリミッタを設けているので、ＭＥＳＥＣＡＭ信号の１水平期間前後ではレベル差がないと判別される。その為、ＭＥＳＥＣＡＭ信号がＳＥＣＡＭ信号と誤判別されることがなくなり、ＳＥＣＡＭ信号を正確に判別できる。
【図面の簡単な説明】
【図１】本発明のＳＥＣＡＭ判別回路を示すブロック図である。
【図２】従来のＳＥＣＡＭ判別回路を有するＶＴＲ再生装置を示すブロック図である。
【図３】図１及び図２の説明に供するための特性図である。
【符号の説明】
（  ６）      ４逓倍回路
（１３）      位相検波部
（１５）      出力部
（１７）      トランジスタ
【図１】
0003679480.tif 000002
【図２】
0003679480.tif 000003
【図３】
0003679480.tif 000004